(57)【要約】      （修正有）【課題】画像形成装置の圧盤と原稿の接触を改善するための、非常に形状適合可能な圧盤クッションを提供する。【解決手段】画像形成装置１０２は、スキャナのガラス圧盤１０５に対する原稿の接触を改善するために、圧盤ガラスと原稿の自然形状を模倣し、原稿面全体に渡ってダウンフォースをかけ、原稿の画像面をその面全体に渡って平坦に保持する、非常に形状適合可能な圧盤クッションとして、原稿ハンドラ１０４、とベロー装置１１０に対する圧盤スキャナ１０８を有する。このベロー装置１１０は、圧盤の枕１０６全体に渡って均等に空気圧または油圧を供給するベロー（例えば、プラスチックのベロー）として構成する。ベロー１１０は、圧盤の枕１０６とリンクする。圧盤の枕１０６は、薄い可撓性の枕が後ろに取り付けられた厚い圧盤プレートとして構成する。【選択図】図７
2018011296.tif 000002
【特許請求の範囲】
【請求項１】
スキャナと原稿ハンドラの位置合わせには関係なく、前記圧盤に対して前記原稿を維持し、前記原稿との接触を最大にし、均等なダウンフォースを前記原稿の面全体に渡って行き渡らせ、前記圧盤に対する前記原稿の前記接触を改善させるために、原稿とスキャナの圧盤の両方に形状適合するよう構成される圧盤クッション
を含む、圧盤クッション装置。
【請求項２】
前記圧盤クッションには、気体が詰められる、請求項１に記載の装置。
【請求項３】
前記圧盤クッションには、ゲルが詰められる、請求項１に記載の装置。
【請求項４】
前記圧盤クッションには、複数のビーズが詰められる、請求項１に記載の装置。
【請求項５】
枢着部の近くで原稿ハンドラとスキャナ圧盤に対して配置されるアクチュエータであって、前記原稿ハンドラが閉められると、前記アクチュエータが圧縮され、圧盤の枕が膨らむ、アクチュエータ
を含む、均等な圧盤圧力を供給するための装置。
【請求項６】
前記アクチュエータが、ベローを含む、請求項５に記載の装置。
【請求項７】
前記圧盤の枕が、前記スキャナ圧盤の角に圧力が供給されることを保証する剛性の対向シート、および薄い可撓性シーを含む、請求項５に記載の装置。
【請求項８】
スキャナと原稿ハンドラの位置合わせには関係なく、前記圧盤に対して前記原稿を維持し、前記原稿との接触を最大にし、均等なダウンフォースを前記原稿の面全体に渡って行き渡らせ、前記圧盤に対する前記原稿の前記接触を改善させるために、原稿とスキャナの圧盤の両方に形状適合するよう圧盤クッションを構成するステップ
を含む、スキャナ用の圧盤クッション装置を実装する方法。
【請求項９】
前記圧盤クッションには、気体が詰められる、請求項８に記載の方法。
【請求項１０】
前記圧盤クッションには、ゲルが詰められる、請求項８に記載の方法。
【発明の詳細な説明】
【技術分野】
【０００１】
本発明の実施形態は、一般に、複写機、スキャナ、および多機能装置などの画像形成装置で用いられる圧盤に関する。本発明の実施形態は、画像形成装置の圧盤と原稿の接触を改善するための、非常に形状適合可能な圧盤クッションにも関する。それに加えて、実施形態は、画像形成装置の圧盤と原稿の接触の改善を容易にする空気圧式アクチュエータに関する。
【背景技術】
【０００２】
複写機、スキャナ、および同様な装置（以後本明細書では、画像形成装置と呼ぶ）では、最初にオリジナル原稿画像を画像形成ステーションで光源やその他の光学システムを用いて露光することにより、オリジナル原稿画像から複写画像を作成する。露光ステップを行うため、オリジナル原稿は、画像形成装置の画像形成ステーションまたは露光ステーションのガラス圧盤に載せられる。この画像形成装置には、少なくとも露光ステップの間、好ましくはオリジナル原稿の表面とガラス圧盤を覆う圧盤カバーが設けられている。
【０００３】
画像形成装置に関連するスキャナと原稿ハンドラでは、通常、発泡樹脂が裏に取り付けられた剛性の圧盤カバーを用いて、原稿をスキャナの圧盤ガラスに対して保持する。良好な画質は、その原稿の圧盤ガラスに対する平坦性に依存し得、かつ原稿ハンドラとスキャナの圧盤ガラスとの配置が平行かどうか、および原稿をガラスに押し付ける圧盤クッションの力に左右され得る。剛性の圧盤クッションは、完全に平坦となり、かつ、ガラス面と平行を維持して、原稿全体に渡って均等に圧力を提供しなければならないが、このことは、容易に実現できることではなく、通常の発泡樹脂のクッションでは、形状適合性を得るためにいくらかの手段を講じられているが、平行を得ることができない、すなわち、十分な形状適合性を提供して、原稿に均等な圧力かけて、圧盤ガラスに対して平坦にすることを徹底することができない。
【０００４】
図１には、従来技術の発泡樹脂が裏に取り付けられた、すなわち隆起状の圧盤クッション１０、およびガラス圧盤１２（すなわち、「ガラス」）上で平坦に示されている、走査またはコピーされる原稿１１が示されている。原稿をガラス１２に対して平坦に維持することは、焦点と照明の奥行きが短いＣＩＳモジュールにとっては特に重要である。図１に示される通り、画像１４は、約０．５ｍｍの窪みを有する波状の面を走査したものであり、原稿１１を圧盤ガラス１２に対して平坦に保持しない、従来の発泡樹脂が裏に取り付けられた剛性の圧盤クッション１０を用いて走査されたもの思われる。理想的には、このようなバラツキに対してシステムは堅牢でなければならない、すなわち原稿を平坦に保持しなければならない。
【０００５】
以下に記載される要約は、開示される実施形態に対して固有の本発明の特徴のうちのいくつかを理解し易くするために提供されるもので、完全な説明を意図したものではない。明細書、請求項、図面、および要約を全体としてとらえることにより、本明細書で開示される実施形態の種々の様態を完全に理解することができる。
【発明の概要】
【発明が解決しようとする課題】
【０００６】
したがって、開示される実施形態の一様態では、複写機やスキャナなどの画像形成装置のための改良型圧盤カバーの構成が提供される。
【０００７】
開示される実施形態の別の様態では、画像形成装置の圧盤ガラスとの原稿の接触が改善される、非常に形状適合可能な圧盤クッションが提供される。
【課題を解決するための手段】
【０００８】
上述の様態およびその他の目的ならびに利点は本明細書に記載される通り実現することができる。本発明の例示的な実施形態では、圧盤クッション装置は、スキャナと原稿ハンドラの位置合わせとは関係なく、原稿を圧盤に対して維持し、原稿との接触も最大にし、原稿の表面全体に均等なダウンフォースを行き渡らせ、圧盤に対する原稿の接触を改善するために、原稿とスキャナの圧盤の両方に形状適合するよう構成される圧盤クッションを含む。
【０００９】
別の例示的な実施形態では、密封プラスチック（例えば、ビニールまたはその他のタイプの包含材料）の枕をベロータイプの要素に取り付けることができる。これらのベローを蝶番軸の近く配置することができ、原稿ハンドラが閉まると、これらのベローが圧縮され、圧盤の枕が膨らむ。この圧盤の枕は、剛性の対向シートから構成することができ、圧盤の狭い角に圧力が供給されることを保証し、薄い可撓性プラスチックシートが剛性の要素の裏の一番上に取り付けられ枕を形成している。原稿ハンドラを閉めることにより、これらのベローを自動的に起動させることができ、圧盤の面全体に渡って均等な圧力が供給される。
【００１０】
同一の要素または機能的に同様の要素が同様の参照符号により別々の図に渡って示される添付図面は、本明細書に組み込まれ、本明細書の一部を成し、それに加え本発明を図示し、本発明の詳細な説明とともに、本発明の趣旨を説明する役割を果たしている。
【図面の簡単な説明】
【００１１】
【図１】図１は、従来技術による、発泡樹脂が後ろに取り付けられた、隆起型圧盤クッションを示す図である。
【図２】図２は、種々の実施形態に従った、圧盤クッションのその他の実施形態の上面と底面を示す図である。
【図３】図３は、例示的な実施形態に従った、非常に形状適合可能なクッションを代わりに用いるシステムに対比して、標準的な発泡樹脂が裏に取り付けられたクッションを有する、原稿ハンドラおよび圧盤のスキャナから成るシステムを示す概略図である。
【図４】図４は、圧盤ガラスからページが離れると照明が弱くなることを実演するために、ページをガラスに対して均一に保持しない圧盤クッションを用いた場合の画像の例を示す図である。
【図５】図５は、例示的な実施形態に従った、ゲルのボールが表面全体に渡って流れて、ガラス対してページを均一に保持するが、液体とは違い漏れることはない、ゲルのカバーをオリジナルの圧盤クッションと入れ替えた場合の画像を示す図である。
【図６】図６は、例示的な実施形態に従った、原稿ハンドラとベロー装置に対する画像形成装置と圧盤スキャナを示す図である。
【図７】図７は、例示的な実施形態に従った、原稿ハンドラとベロー装置に対する画像形成装置と圧盤スキャナを示す図である。
【図８】図８は、例示的な実施形態に従った、原稿ハンドラとベロー装置に対する画像形成装置と圧盤スキャナを示す図である。
【発明を実施するための形態】
【００１２】
これらの非限定の例で議論される特定の値および構成は、変更される可能性があり、１つ以上の実施形態を説明するためにのみ取り上げられ、その範囲を限定することを意図しない。
【００１３】
次に、特定の例示的な実施形態の一部を成し、図示することにより、その実施形態を示す添付図面を参照して、主題をより完全に説明する。しかし、様々な形態で主題を具現化することができ、したがって、請求項にカバーされる、すなわち請求項の主題は、本明細書に記載されるいずれの例示的な実施形態にも限定されないものと解釈されることを意図し、例示的な実施形態は、単に説明を目的として提供される。同様に、請求項にカバーされる、すなわち請求項の主題に関しては、適切に広い範囲が意図される。主題は、数ある中でも、例えば、方法、装置、構成部品、またはシステムとして具現化することができる。したがって、実施形態は、例えば、ハードウェア、ソフトウェア、ファームウェア、またはそれらの全ての組合せ（ソフトウェア自体以外の）の形態を取ることができる。したがって、以下の詳細な説明は、限定することを意図していない。
【００１４】
本明細書および請求項全体を通して使用される用語は、明示的に述べられる意味の他に、文脈から提案される、あるいは示唆されるニュアンスを含む意味も有する。同様に、本明細書で使用される、「ある実施形態では」や「例示的な実施形態では」などのフレーズ、およびそれらの変化形は、必ずしも同じ実施形態を指すものではなく、本明細書で使用されるフレーズ、「別の実施形態では」や「別の例示的な実施形態では」、およびそれらの変化形は、異なる実施形態を指し得る、あるいは必ずしも異なる実施形態を指さなくてもよい。例えば、請求項の範囲の主題には、例示的な実施形態の全体の、あるいは、一部の組合せが含まれることが意図される。
【００１５】
一般に、専門用語は、少なくとも部分的に、文脈における使い方から理解することができる。例えば、本明細書で使用される、「および（ａｎｄ）」、「または（ｏｒ）」、または「および／または（ａｎｄ／ｏｒ）」などの用語には、様々な意味が含まれ得、それらの意味は、その用語が使われる文脈に、少なくとも部分的に依存し得る。一般に、Ａ、Ｂ、またはＣなどの「または（ｏｒ）」（一覧を目的として使用される場合）、Ａ、Ｂ、およびＣ（ここでは、包括的に使用されている）、およびＡ、Ｂ、またはＣ（ここでは、排他的に使用されている）を意味することが意図される。さらに、本明細書で使用される、用語「１つ以上の（ｏｎｅ  ｏｒ  ｍｏｒｅ）」（文脈に少なくとも部分的に依存する）は、任意の特徴、構造、または特性を単数として記載するために、あるいは、特徴、構造、または特性の組合せを複数として記載するために用いられ得る。同様に、「ある（ａ）」、「ある（ａｎ）」、または「その（ｔｈｅ）」などの用語は、単数での使用を伝えるものとして、あるいは、複数での使用を伝えるものとして（文脈に少なくとも部分的に依存する）理解され得る。さらに、用語「〜に基づく（ｂａｓｅｄ  ｏｎ）」は、必ずしも排他的な要因の集合を伝えることを意図せず、その代わり、文脈に少なくとも部分的に依存して、必ずしも特に記載されていない付加的な要因が存在し得るものとして理解することができる。
【００１６】
例えば、複写機（写真複写機）、スキャナなどを含む、画像形成装置は、当技術分野では、周知でありきたりの装置ある。したがって、その動作、構成部品、および機能は説明する必要はなく、本明細書では詳細に説明していない。画像形成装置の一例として、ＭＦＤ（多機能装置）またはＭＦＰ（多機能の製品／プリンタ／周辺装置）を挙げることができるが、これは、家庭や小さい事務所に対して実装面積を小さくすることを提案するために、あるいは、大きな事務所に対して原稿の管理／配布／作成の集約化を提供するために、複数の装置の機能を１つの装置に組み込んだオフィス機器である。通常のＭＦＰまたはＭＦＤでは、次の装置のうちのいくつか、または全てを組み合わせることができる：Ｅメール、ファックス、写真複写機、プリンタ、およびスキャナ。
【００１７】
電子写真の技術分野では（例えば、従来の複写機などに使用される）、最初に感光体の画像形成面を静電気で帯電均一にさせることにより、オリジナル原稿からの画像の静電潜像を感光体（電子写真プレート、ドラム、ベルトなど）上に形成する。次いで、この感光体が、オリジナル原稿から受け取られる光など（すなわち、露光ステーションで露光したときにオリジナル原稿から反射した光）の活性化した電磁放射のパターンにさらされ、これにより、光が当てられた感光体の領域内の電荷が選択的に消散され、オリジナル原稿の画像に対応する、光が当てられていない領域内の静電潜像の後ろ側の電荷が残される。次いで、この静電潜像が、事前に選択された着色剤（例えば、色の付いたトナー粒子）を塗布する１つ以上の現像ステーションで現像されて、感光体の表面上に可視画像が形成され得る。次いで、こうして形成された可視トナー画像は、転写ステーションで、直接的に、あるいは間接的に（例えば、中間転写部材を用いることにより）、紙などの好適な画像受取り部材に転写される。
【００１８】
スキャナでは、電荷結合素子（ＣＣＤ：Ｃｈａｒｇｅ  Ｃｏｕｐｌｅ  Ｄｅｖｉｃｅ）またはその他の全幅画像形成アレイ（例えば、接触画像センサ（ＣＩＳ：Ｃｏｎｔａｃｔ  Ｉｍａｇｅ  Ｓｅｎｓｏｒ））が、露光ステーションで、オリジナル原稿から反射した光を受け取る。この画像形成アレイは、今度は、従来の、周知の電子デジタル画像処理システム、装置、または、事前にプログラムされているチップ、またはソフトウェアでプログラムされるチップ（ひとまとめにして画像プロセッサとして特定することができる）に従来通り電子的に接続する。周知の通り、このように形成された電子デジタル画像は、次いで、上記に、かつ、他の特許で様々に議論されている通り、かつ市販の製品から知られている通り、画像圧縮またはその他の処理、格納、および／または、スクリーン表示、および／または、局所的に、または遠隔サイトでのデジタル印刷するための、または、デジタル複写するための（例えば、上記の感光体を用いて）レーザプリンタの制御、および／または、ファクシミリ送信のために解像度を下げたファクシミリのページ画像に変換に送られる。例えば、独立型スキャナとの関連で、あるいは、そのような様々な機能または出力を提供する多機能装置と組み合わせて、あるいは統合して開示されているシステムを用いることができる。
【００１９】
スキャナおよび複写機などの画像形成装置では、露光ステーションが用いられ、この露光ステーションでは、格納、印刷、複写などのために、複製されるオリジナル原稿の画像が光源またはその他の光学システム（電磁放射源を含む）にさらされ、これにより、オリジナル原稿の画像の複写が記録される。複写機では、例えば、上記に議論された感光体の表面上に静電潜像を形成する際、光源からの光の中で記録された画像が用いられる。この露光ステーションは、オリジナル原稿を載せることができる面を有する圧盤と、オリジナル原稿を載せることができる圧盤の面の裏側に配置される光源と、オリジナル原稿を載せることができる圧盤の面に隣接する圧盤カバーと、を含み得る。
【００２０】
本明細書で使用される、用語「露光ステーション」は、画像を複製するためのオリジナル原稿の画像の露光で用いられる光源（光学システム）が配置されるその装置の部分を指すことを意図される。すなわち、オリジナル原稿からの反射光を発する光源が画像の複製に用いられる。この露光ステーションは、圧盤（例えば、ガラス圧盤）も含み得、この圧盤の上にオリジナル原稿を載せる（複製される原本の画像を含むオリジナル原稿の面を圧盤面と向かい合わせ、すなわち圧盤面と接触した状態で）。したがって、この定義では、圧盤を含まず、画像の複製にはその光源は使用されない（この光源は密度検知にのみ使用され、オリジナル画像自体は複製または複写されない）、密度検知装置などの装置は含まれない。
【００２１】
この光源は、制限なしに当技術分野で使用される、既知のあらゆる従来型光源でよい。一例を挙げると、ＬＥＤアレイを光源として用いることができる。光源からの光が圧盤を簡単に通過可能な透明な材料で構成することができる。透明なプラスチックも使用可能であるが、圧盤がガラスを含むことが最も好ましい（すなわち、ガラス圧盤）。
【００２２】
図２には、様々な実施形態に従った、圧盤クッションの別の実施形態の上面と底面の図示されている。ビーズの詰まった圧盤クッション上面図２０と底面図２２の上には、気体（例えば、空気）の詰まった圧盤クッション１７の上面図１６と底面図１８が示されている。どちらのケースでも、薄膜を用いることができ、非常に形状適合可能な媒体が詰められている。原稿／圧盤ガラスと接触するクッションの面は、均一な色を有し、通常は白であるが、用途に応じて別の色の背景色も使用可能である。
【００２３】
スキャナのガラスに対する原稿の接触を改善するために、図２に示される実施形態では、圧盤ガラスと原稿の自然形状を模倣し、原稿面全体に渡ってダウンフォースをかけ、原稿の画像面がその面全体に渡って平坦に保持される、非常に形状適合可能な圧盤クッションが提案される。それには２つの属性が必要となる。第１に、クッション領域が真下の形状に適合可能でなければならないため、薄いプラスチックまたはゴムで被膜した白（あるいは、その他の好適な均一な反射率の）の薄膜が用いられ得る。第２に、均等な圧力をかけなければならないが、これは等角の詰め物により実現可能である。原稿の形状への適合性が失われるため、クッションに詰め物を詰め過ぎないことが重要である。
【００２４】
いくつかの例示的な実施形態では、非常に形状適合可能な材料（例えば、気体、液体、ゲル、ビーズ、または発泡樹脂）が詰められたバッグとして圧盤クッションを構成することができる。クッション２１に含まれるビーズは、液体や気体の特性のいくつかを有するが、漏れにくい。ゲルまたは発泡樹脂は、それらの特徴が密封基材内のあらゆる漏れに対してより堅牢なため、好ましい実施形態である。
【００２５】
図３には、例示的な実施形態に従った、非常に形状適合可能なクッション４２を代わりに用いるシステム３３と対比した、標準的な発泡樹脂が裏に取り付けられたクッション３５を有する原稿ハンドラ３４および圧盤スキャナ３６から成るシステム３２の概略図が示されている。つまり、システム３２とシステム３３は、両方共、走査される、あるいはコピーされる原稿３８に対して原稿ハンドラ３４と圧盤スキャナ３６を含む。矢印４０により、システム３２が修正され、現在は、発泡樹脂クッション３５の代わりに形状適合可能なクッション４２を用いたシステム３３として機能していることが示されている。
【００２６】
図３には、原稿ハンドラ３４、発泡樹脂クッション３５、および圧盤スキャナ３６も含むシステム３７も示されている。原稿３８などの走査される原稿に代わり、システム３７の構成では、走査される、圧盤スキャナ３６上に配置される本４６が示されている。矢印４１により、原稿ハンドラ３４と圧盤スキャナ３６も含むシステム３９として機能するようシステム３７を修正することが可能であることが示されている。しかし、発泡樹脂クッション３５に代わり形状適合可能なクッション４２が、走査される本４６に対して使用される。
【００２７】
図４には、圧盤ガラスからページが離れると照明が弱くなることを実演するために、ガラスに対してページを均一に保持しない圧盤クッションを用いて走査された原稿７４の例が示される。図５には、例示的な実施形態に従って、元の圧盤クッションをゲルカバーに取り換えて走査された原稿６４が示されており、ゲルボールが表面全体に渡って流れて、ガラス対してページを均一に保持しているが、液体とは違って漏れることはない。
【００２８】
図６、図７、および図８には、例示的な実施形態に従った、原稿ハンドラ１０４とベロー装置１１０に対する圧盤スキャナ１０８を有する画像形成装置１０２が示されている。このベロー装置１１０は、圧盤の枕１０６全体に渡って均等に空気圧または油圧を供給するベロー（例えば、プラスチックのベロー）として構成され得る。このベロー１１０は、圧盤の枕１０６とリンクする。この圧盤の枕１０６は、薄い可撓性の枕が後ろに取り付けられた厚い圧盤プレートとして構成され得る。スキャナのガラス圧盤１０５は、スキャナ１０８面上に配置される。図６には、閉められた状態の原稿ハンドラ１０４に対して配置された圧盤スキャナ１０８を有する画像形成装置１０２が示されている。図７には、開けられた状態の原稿ハンドラ１０４に対する圧盤スキャナ１０８を含む画像形成装置１０２の側面図が示されている。その一方で、図８には、ガラス圧盤１０５の上で開いた状態の圧盤の枕１０６に対する画像形成装置１０２とベロー装置１１０の絵画斜視図が示されている。
【００２９】
なお、このソリューションでは、原稿が圧盤の面上にあるとき、プラスチックシートまたは連結剛性プレートと向き合って原稿全体に均等な圧力をかける、発泡樹脂のパッドが用いられる。このことは、ハンドラ自体がねじれ、均等な圧力を供給できない場合に問題となり得る。図６、図７、および図８に示されている構成では、ベロータイプの要素すなわち装置１１０に取り付けられた密封枕１０６を用いることができる。これらのベロー１１０は、通常、蝶番軸に近くに配置され、ハンドラが閉められると、ベローが圧縮され圧盤の枕が膨らみ、これにより、圧盤１０５の表面全体に均等な圧力を供給することができる。圧盤の枕１０６は、圧盤１０５の狭い角に圧力が供給されることを保証する剛性の対向シートと、剛性の要素の後ろの一番上に取り付けられる、枕１０６を形成する薄い可撓性シートと、から構成され得る。
【００３０】
前述のことに基づいて、複数の実施形態が本明細書で開示されることは理解されよう。例えば、ある実施形態では、スキャナと原稿ハンドラの位置合わせには関係なく、前記圧盤に対して前記原稿を維持し、前記原稿との接触を最大にし、均等なダウンフォースを前記原稿の面全体に渡って行き渡らせ、前記圧盤に対する前記原稿の前記接触を改善させるために、原稿とスキャナの圧盤の両方に形状適合する圧盤クッションを含む圧盤クッション装置を構成することができる。
【００３１】
いくつかの例示的な実施形態では、上述の圧盤クッションに気体を詰めることができる。別の例示的な実施形態では、圧盤クッションにゲルを詰めることができる。さらに別の例示的な実施形態では、圧盤クッションに複数のビーズを詰めることができる。さらに別の例示的な実施形態では、圧盤クッションに発泡樹脂を詰めることができる。
【００３２】
いくつかの例示的な実施形態では、この圧盤はガラス圧盤でよい。別の例示的な実施形態では、この圧盤クッションが薄いプラスチックの薄膜を含むことができる。さらに別の例示的な実施形態では、この圧盤クッションは、ゴムで被膜した白い薄膜を含むことができる。
【００３３】
別の例示的な実施形態では、均等な圧盤圧力を供給するための装置が実装され得、この装置が、枢着部の近くで原稿ハンドラとスキャナ圧盤に対して配置されるアクチュエータを含み、前記原稿ハンドラが閉められると、前記アクチュエータが圧縮され、圧盤の枕が膨らむ。例示的な実施形態では、このアクチュエータは、ベローとして実装され得る。さらに別の例示的な実施形態では、圧盤の枕は、前記スキャナ圧盤の角に圧力が供給されることを保証する剛性の対向シート、および薄い可撓性シートを含むことができる。さらに別の例示的な実施形態では、原稿ハンドラが閉められると、前記ベローを自動的に起動し、前記スキャナ圧盤の表面全体に均等な圧力が供給される。いくつかの例示的な実施形態では、このベローは、空気圧ベローでも油圧ベローでもよい。
【００３４】
別の例示的な実施形態では、スキャナ用の圧盤クッション装置を実装する方法を実施することができる。この方法には、スキャナと原稿ハンドラの位置合わせには関係なく、前記圧盤に対して前記原稿を維持し、前記原稿との接触を最大にし、均等なダウンフォースを前記原稿の面全体に渡って行き渡らせ、前記圧盤に対する前記原稿の前記接触を改善させるために、原稿とスキャナの圧盤の両方に形状適合するよう圧盤クッションを構成するステップまたは動作が含まれ得る。
【００３５】
上記に開示された変更形態、およびその他の特徴、および機能、またはその代替形態を様々なシステムまたは用途に組み合わせることが望ましいことは理解されよう。現時点において予測不能、または予知不能な様々な代替物、修正物、変更物、または、その中の改良物も、今後当業者により成されるが、これらも以下の請求項に包含されることを意図される。
【図１】
2018011296.tif 000003
【図２】
2018011296.tif 000004
【図３】
2018011296.tif 000005
【図４】
2018011296.tif 000006
【図５】
2018011296.tif 000007
【図６】
2018011296.tif 000008
【図７】
2018011296.tif 000009
【図８】
2018011296.tif 000010